(57)【特許請求の範囲】
【請求項１】
貯氷庫を構成する底壁の内面側にて同底壁の最下部から上方に傾斜して形成された上方の部位に氷送出口を有する氷搬送樋と、前記氷搬送樋に沿って傾斜して回転可能に配設された氷塊送出スクリューと、前記貯氷庫の側壁の外面側に配設された駆動装置を備え、前記駆動装置の出力軸と前記氷塊送出スクリューの回転軸とは前記貯氷庫の側壁に設けた貫通孔を通して互いに連結されている氷搬出装置であり、前記駆動装置は前記貯氷庫を構成する側壁の外面側にて気密的に組み付けたケーシング内に収容されていて、前記貯氷庫の内部と前記ケーシングの内部とは前記貫通孔を通して互いに連通していることを特徴とする貯氷庫における氷搬出装置。
【発明の詳細な説明】
【０００１】
【発明の属する技術分野】
本発明は、貯氷庫の底部に設けた氷搬出装置に関し、特に電動モータの取付構造に関する。
【０００２】
【従来の技術】
貯氷庫が装備する氷搬出装置の一形式として、特開平１１−２３７１５３号公報に示されるように、貯氷庫を構成する底壁の内面側にて同底壁の最下部から上方に傾斜して形成された上方の部位に氷送出口を有する氷搬送樋と、氷搬送樋に沿って傾斜して回転可能に配設された氷塊送出スクリューと、貯氷庫の側壁の外面側に配設された駆動装置を備え、駆動装置の出力軸と氷塊送出スクリューとが貯氷庫の側壁に設けた貫通孔を通して互いに連結されている氷搬出装置がある。当該形式の氷送出装置においては、駆動装置を構成する電動モータを駆動させて氷塊送出スクリューを回転させると、氷搬送樋内の氷塊が掻き揚げられて氷送出口まで搬送されて、氷送出口から下方に放出している。通常、氷塊を送出する時間は短時間であって、電動モータの駆動時間も短時間で終了する。
【０００３】
【発明が解決しようとする課題】
ところで、当該形式の氷搬出装置においては、図３に拡大して示すように、貯氷庫Ｒ内の冷気の一部は、図中の矢印に沿って、氷塊送出スクリュー２の回転軸２ａ、および／または、駆動装置４の出力軸が貫通する貫通孔の隙間を通って前扉３と貯氷庫Ｒの間に形成された空間Ｓに流れ込み、この空間Ｓに流れ込んだ冷気の一部は氷送出口１ｂ付近の隙間から外部に流出する。このため、空間Ｓ内は貯氷庫Ｒと外気の中間の温度となり、駆動装置４を構成する電動モータ４ａも空間Ｓの雰囲気と同じ温度となっている。したがって、氷塊を排出する際に電動モータ４ａを駆動させると、電動モータ４ａ（駆動装置４）自体の温度がさらに上昇し、この熱が回転軸２ａと氷塊送出スクリュー２に伝わって、回転軸２ａと氷塊送出スクリュー２に接触している貯氷庫Ｒ内の氷塊を溶かすという問題があった。
【０００４】
本発明は上記問題を解決するために、電動モータを冷却して貯氷庫と同温度にすることにより高品質の氷塊を提供することを目的とする。
【０００５】
【発明の概要（課題を解決するための手段および発明の作用・効果）】
本発明は、氷搬出装置に関する。本発明に係る氷搬出装置は、貯氷庫を構成する底壁の内面側にて同底壁の最下部から上方に傾斜して形成された上方の部位に氷送出口を有する氷搬送樋と、前記氷搬送樋に沿って傾斜して回転可能に配設された氷塊送出スクリューと、前記貯氷庫の側壁の外面側に配設された駆動装置を備え、前記駆動装置の出力軸と前記氷塊送出スクリューの回転軸とは前記貯氷庫の側壁に設けた貫通孔を通して互いに連結されている氷搬出装置であって、前記駆動装置は前記貯氷庫を構成する側壁の外面側にて気密的に組み付けたケーシング内に収容されていて、前記貯氷庫の内部と前記ケーシングの内部とは前記貫通孔を通して互いに連通していることを特徴とするものである。
【０００６】
本発明に係る氷搬出装置によれば、駆動装置を収容しているケーシング内は、貫通孔を介して互いに連通している貯氷庫内と同等の温度にある。このため、駆動装置を構成する電動モータが非駆動時には、駆動装置は貯氷庫内の温度と同等の温度に冷却されていて、従来のこの種形式の氷搬出装置が装備する駆動装置の温度より低い温度に維持される。この状態にある駆動装置の電動モータを、氷塊を送出すべく駆動させると、電動モータは従来と同等の温度幅だけ上昇するので、駆動装置の温度は従来ほど高くなることはない。このため、駆動装置の出力軸と連結した氷塊送出スクリューの温度の上昇が大幅に抑制されるので、氷塊送出スクリューに接触している貯氷庫内の氷塊が溶けるのを防止することができる。したがって、高品質の氷塊を提供することができる。
【０００７】
【発明の実施の形態】
以下に、本発明の一実施の形態を図面を参照して説明すると、図１は本発明による氷搬出装置を適用したオープンセル型製氷機を示している。
【０００８】
このオープンセル型製氷機はハウジング１０を備えており、このハウジング１０内部には上下に貯氷庫Ｒ１と機械室Ｒ２が形成されている。貯氷庫Ｒ１は下面に断熱部材１５を設けた底壁１１と前壁１２を有しており、貯氷庫Ｒ１の内部上方には氷塊を生成して貯氷庫Ｒ１内に放出する製氷装置２０が設けられ、貯氷庫Ｒ１の底部にはその内部の氷塊を外部に搬出する氷搬出装置３０が設けられている。機械室Ｒ２内には、冷却された冷媒を製氷装置２０に供給するための圧縮機、凝縮器、冷却ファンよりなる冷凍機など（図示省略）が設けられている。なお、ハウジング１０は上方および前方に開口しており、ハウジング１０の上部にはハウジング１０の上部開口１０ａを覆蓋する天板１３が脱着可能に組み付けられ、ハウジング１０の前部にはハウジング１０の前部開口１０ｂを覆蓋する前扉１４が開閉自在に組み付けられている。また天板１３の下面には断熱部材１５が設けられている。
【０００９】
氷搬出装置３０は、氷搬送樋３１、氷塊送出スクリュー３２および駆動装置４０から構成されている。氷搬送樋３１は、貯氷庫Ｒ１の底壁１１に上方に開口する断面略Ｕ字状に形成され、底壁１１の最下部から上方に傾斜して形成されている。この氷搬送樋３１の上端部には氷搬出口３１ａが下方に開口して形成されている。なお氷搬出口３１ａは氷搬送樋３１の中間部に形成するようにしてもよい。
【００１０】
この氷搬送樋３１の内部には、回転軸３２ａとその外周面に設けたねじ状の羽根３２ｂからなる氷塊送出スクリュー３２が長手方向に延在して回転自在に配設されている。この回転軸３２ａは金属材料（例えばステンレス材）で形成されている。回転軸３２ａの上端部は氷搬送樋３１の前端を閉塞する側壁１２を貫通し、貯氷庫Ｒ１の外側に突出し、この回転軸３２ａの突出部には側壁１２の外面に設けた駆動装置４０の出力軸４４が離脱可能に連結されている。回転軸３２ａの上端部に設けた一対の切り欠き３２ｃと、切り欠き３２ｃに対応する回転軸３２ａの上端部に嵌入される小径の出力軸４４の先端部に設けたピン４４ａとが離脱可能に係合するようになっている。なお回転軸３２ａと側壁１２の間には隙間が形成されている。一方回転軸３２ａの下端は氷搬送樋３１の下端に設けた側壁３１ｂに軸支されている。
【００１１】
駆動装置４０は電動モータ４１を有しており、この電動モータ４１の回転駆動はギヤボックス４２と減速機４３を介して出力軸４４に伝えられている。すなわち電動モータ４１が作動すると、回転軸３２ａが所定回転数にて所定方向へ回転するようになっている。
【００１２】
この駆動装置４０は貯氷庫Ｒ１を構成する側壁１２の外面に気密的に組み付けたケーシング５０内に収容されている。これにより、駆動装置４０（電動モータ４１）を貯氷庫Ｒ１の外気から隔離して貯氷庫Ｒ１とケーシング５０とを上記した隙間を通して連通させることとなる。
【００１３】
このように構成したオープンセル型製氷機において、駆動装置４０（電動モータ４１）の非作動時には、貯氷庫Ｒ１内の冷気は図２の矢印で示すように上記隙間を通ってケーシング５０内に流れ込み、ケーシング５０から外部に流出することはない。このため、ケーシング５０内は効率よく冷却されて貯氷庫Ｒ１内とほぼ同じ温度となり、駆動装置４０は貯氷庫Ｒ１内とほぼ同温度ととなりその温度に維持される。一方駆動装置４０の作動時間が従来と同じ短時間であれば駆動装置４０の仕事量はほぼ同じであるので、駆動装置４０も最大でも従来とほぼ同じ温度幅しか上昇しないと考えられる。したがって、氷塊を排出する際には、駆動装置４０が短時間だけ作動しても作動開始時点の駆動装置４０自体の温度は十分低く抑えられ、しかも上昇する温度幅はほぼ同じなので、駆動装置４０自体の温度は従来ほど高くはならない。この結果、駆動装置４０から氷塊送出スクリュー３２への熱伝達による氷塊送出スクリュー３２の温度の上昇を抑えることとなるので、氷塊送出スクリュー３２に接触している貯氷庫Ｒ１内の氷塊が溶けるのを防止することができ、高品質の氷塊を提供することができる。
【００１４】
また、上記したオープンセル型製氷機において、駆動装置４０の作動終了直後にメンテナンスなどのため前部蓋体１４を開けた際に、駆動装置４０がケーシング５０により覆われているので、作業者が温度の高い駆動装置４０に直接触れるのを防止することができる。
【００１５】
なお、本発明による氷搬出装置は、オープンセル型製氷機に限られず、その他の形式の製氷機、外部で生成した氷塊を供給されて保存するのみの貯氷庫にも適用される。
【図面の簡単な説明】
【図１】  本発明による氷搬出装置を適用したオープンセル型製氷機の概略断面図である。
【図２】  図１に示す氷搬出装置の拡大断面図である。
【図３】  従来技術による氷搬出装置を適用したオープンセル型製氷機において同氷搬出装置の拡大断面図である。
【符号の説明】
１０…ハウジング、１０ａ…上部開口、１０ｂ…前部開口、１１…底壁、１２…側壁、１３…天板、１４…前扉、１５…断熱部材、２０…製氷装置、３０…氷搬出装置、３１…氷搬送樋、３１ａ…氷搬出口、３１ｂ…側壁、３２…氷塊送出スクリュー、３２ａ…回転軸、３２ｂ…ねじ状の羽根、３２ｃ…切り欠き、４０…駆動装置、４１…電動モータ、４２…ギヤボックス、４３…減速機、４４…出力軸、４４ａ…ピン、５０…ケーシング、Ｒ１…貯氷庫、Ｒ２…機械室。
【図１】
0004726344.tif 000002
【図２】
0004726344.tif 000003
【図３】
0004726344.tif 000004